(57)【特許請求の範囲】
【請求項１】
樹脂製容器の内面と外面の電位差を測定する測定装置であって、
電導性の液体が充填された樹脂製容器と、内部に電導性の液体が満たされ、その電導性の液体内に前記樹脂製容器が配置されるコンテナと、樹脂製容器内に充填されている電導性の液体に接続される第１電極と、コンテナ内に満たされている電導性の液体に接続される第２電極と、前記第１電極と第２電極とを連通する回路と、この回路に接続され、前記第１電極と第２電極との電位差を測定する電位差測定手段とを備えた測定装置。
【請求項２】
前記電位差測定手段と並列に抵抗を配置したことを特徴とする請求項１に記載の測定装置。
【請求項３】
樹脂製容器の内面と外面の電位差を測定する測定方法であって、
樹脂製容器の内面と外面とをそれぞれ電導性の媒体に接触させた後に、内面に接触させた電導性の媒体と外面に接触させた電導性の媒体とを接続する回路を形成し、内面に接触させた電導性の媒体と外面に接触させた電導性の媒体との電位差を測定することにより樹脂製容器の内面と外面の電位差を測定することを特徴とする測定方法。
【発明の詳細な説明】
【技術分野】
【０００１】
本発明は、樹脂製容器の帯電量の測定、特に、樹脂製容器の内面と外面の電位差を測定する測定装置および測定方法に関するものである。
【背景技術】
【０００２】
樹脂製容器が帯電することは従来から知られている。例えば、特許文献１のように、容器搬送装置によって搬送されている樹脂製容器を、電子線照射装置の前面側を通過させる間に、電子線照射装置の照射窓から電子線を照射して殺菌を行うと、図４に示すように、樹脂製容器２の壁体の内部には、マイナスの電荷が滞留し、樹脂製容器２の外側の表面２ａと内側の表面２ｂにはプラスの電荷を持つイオンが付着した状態になる。特に、この図４の状態では、電子線の照射を直接受けた外面２ａ側の方が内面２ｂ側よりも電位が高い状態になっており（外面２ａ側の電位をＣ１、内面２ｂ側の電位をＣ２で示す）、外面２ａと内面２ｂとの間に電位差Ｖが生じている。
【先行技術文献】
【特許文献】
【０００３】
【特許文献１】特開２００８−１６２６５１号公報
【発明の概要】
【発明が解決しようとする課題】
【０００４】
前記のように樹脂製容器の壁面の内部に電荷が滞留すると、外側の表面と、内部側の表面に滞留する電荷が異なって、内面と外面との間に電位差が発生すると、この樹脂製容器内に手や口が触れると、静電気が発生する場合がある。そこで、樹脂製容器の壁体の内外面の電位差がどのように存在しているかを測定する必要があった。
【課題を解決するための手段】
【０００５】
本発明は、樹脂製容器の内面と外面の電位差を測定する測定装置であって、電導性の液体が充填された樹脂製容器と、内部に電導性の液体が満たされ、その電導性の液体内に前記樹脂製容器が配置されるコンテナと、樹脂製容器内に充填されている電導性の液体に接続される第１電極と、コンテナ内に満たされている電導性の液体に接続される第２電極と、前記第１電極と第２電極とを連通する回路と、この回路に接続され、前記第１電極と第２電極との電位差を測定する電位差測定手段とを備えたものである。
【０００６】
また、第２の発明は、前記第１の発明において、前記電位差測定手段と並列に抵抗を配置したことを特徴とするものである。
【０００７】
さらに、第３の発明に係る測定方法は、樹脂製容器の内面と外面の電位差を測定する測定方法であって、樹脂製容器の内面と外面とをそれぞれ電導性の媒体に接触させた後に、内面に接触させた電導性の媒体と外面に接触させた電導性の媒体とを接続する回路を形成し、内面に接触させた電導性の媒体と外面に接触させた電導性の媒体との電位差を測定することにより樹脂製容器の内面と外面の電位差を測定することを特徴とするものである。
【発明の効果】
【０００８】
本発明の測定装置は、液体を満たしたコンテナ内に、液体を充填した樹脂製容器を配置し、両容器内の液体にそれぞれ電極を挿入し、両電極を接続してスイッチによりオンオフ可能な電気回路を形成し、この電気回路内に測定手段を接続するという簡単な構成で、樹脂製容器の壁体の内面側と外面側との電位差を正確に測定することができるという利点がある。
【図面の簡単な説明】
【０００９】
【図１】図１は樹脂製容器の内外面の電位差を測定する測定装置を簡略化して示す構成図である。（実施例１）
【図２】図２は図１に示す測定装置の測定時の状態を示す図である。
【図３】図３は電圧測定手段であるオシロスコープによって測定した電圧波形を示すグラフである。
【図４】図４は樹脂製容器に電子線を照射して殺菌したときに、樹脂製容器の壁体に滞留した電荷と内外面の電位差の一例を示す図である。
【発明を実施するための形態】
【００１０】
内部に液体を満たした状態でコンテナを設置し、内部に飲料等の液体が充填された樹脂製容器を前記コンテナの液体内に配置する。樹脂製容器内に充填されている液体内に第１電極を挿入するとともに、コンテナ内の液体には第２電極を挿入し、これら第１電極と第２電極を接続する電気回路を形成して、スイッチによりオンオフできるようにしている。コの電気回路にオシロスコープを接続して回路内の電圧を測定する。このような簡単な構成により、簡単な操作で樹脂製容器の内面と外面との間の電位差を測定するという目的を実現した。
【実施例１】
【００１１】
以下、図面に示す実施例により本発明を説明する。何らかの操作により、その壁体に電荷が滞留し、しかもその電荷に偏りがある樹脂製容器２は、例えば、樹脂製容器２の外面２ａ側と内面２ｂ側との間に電位差が生じている。この実施例に係る測定装置はその電位差を測定する装置である。
【００１２】
この測定装置は、樹脂製の土台４と、この土台４上に載せられ、内部に液体６が満たされた金属製のコンテナ８と、内部に液体１０が充填され、前記コンテナ８内に満たされている液体６内に配置された樹脂製容器２と、樹脂製容器２内に充填されている液体１０内に挿入されている第１電極１２と、前記コンテナ８内に満たされている液体６内に挿入されている第２電極１４と、これら第１電極１２と第２電極１４とを連通するとともに一端がアース１６されている電気回路１８と、この電気回路１８に接続され、電気回路１８内の電圧を測定する電圧測定手段としてのオシロスコープ２０とを備えている。この電気回路１８はスイッチ２２によってオンオフされる。さらに、この電気回路１８に接続されたオシロスコープ２０と並列に接続された抵抗２４を有している。
【００１３】
前記測定装置のスイッチ２２をオンにすると（図２に示す状態）、電気回路１８が接続され、樹脂製容器２内に充填されている液体１０が接している樹脂製容器２の内面２ｂ側と、金属容器８内に満たされている液体６が接している樹脂製容器２の外面２ａ側との電位差（電圧）が、前記オシロスコープ２０に表示される。図３は、オシロスコープ２０に表示された電圧波形であり、樹脂製容器２の壁体の内面２ｂ側と外面２ａ側との電位差が測定される。また、この図３に示すように、電気回路１８が接続されることによって樹脂製容器２の内外面２ａ、２ｂに不均衡に滞留していた電荷が流れてほぼ等しくなり、電位差がなくなる（図２の符号０は、測定前の電位差Ｖ（図１参照）が消滅したことを示している）。
【００１４】
この測定装置によって樹脂製容器２の電位差を測定する場合に、スイッチ２２をオンにすると瞬間的に電位差が低下するため測定しづらいので、この実施例では抵抗２４を介在させて反応速度を遅くしている。また、抵抗２４を介しているので、抵抗値から電流値を求め、電流値がどのくらいの時間流れるかを計測することにより電荷の量を算出することもできる。
【００１５】
なお、前記実施例では、コンテナ８を鉄やステンレス等の金属製としたが、金属製に限らず樹脂製等であってもよい。また、金属製のコンテナ８の場合には、電極（第２電極１４）を内部に満たされた液体６とコンテナ８のいずれかに接続すればよいが、樹脂製のコンテナ８の場合には、電極１４は内部の液体に接続しなければならない。コンテナ８内に入れる液体６および樹脂製容器２内に充填される液体１０は、導電性をある程度有する液体であればどのような液体を使用してもよい。また、前記コンテナ８を載せる土台４は省略することもできる。
【００１６】
前記実施例では、電気回路１８の連通遮断を行うスイッチ２２を、図示の位置に設けたが、例えば、図１中に符号Ａで示す位置にスイッチを設けるようにしてもよい。但し、この位置にスイッチを設けた場合には、コンテナが樹脂製の場合には問題ないが、金属製のコンテナの場合には、床面に直接設置すると樹脂製容器内とコンテナが連通してしまうので、非電導性の土台を設ける必要がある。なお、この実施例では、電導性の媒体として水などの液体６、１０を用いたが、このような液体以外の電導性の媒体として、例えば、銅やアルミニウムの薄膜を用いることもできる。これら薄膜を樹脂製容器２の内面と外面に貼り付けても前記実施例と同様に電位差を測定することができる。
【符号の説明】
【００１７】
２    樹脂製容器
２ａ  樹脂製容器の外面
２ｂ  樹脂製容器の内面
８    コンテナ
１２    第１電極
１４    第２電極
１８    回路
２０    電圧測定手段
【図１】
0005643605.tif 000002
【図２】
0005643605.tif 000003
【図３】
0005643605.tif 000004
【図４】
0005643605.tif 000005